(57)【特許請求の範囲】
【請求項１】
採尿容器に収容された尿を、尿サンプリング部においてサンプリングするようにした自動蓄尿検査装置において、前記採尿容器がその下部に鍔状のベ−ス部を備える一方、前記尿サンプリング部には前記採尿容器を載置し保持するための容器保持ベ−スが設けられ、かつ、この容器保持ベ−スの上部には前記鍔状のベース部を挿抜自在に挟持する挟持部が形成され、前記サンプリング後に、前記尿サンプリング部において前記容器保持ベースを傾斜させることにより前記採尿容器を傾けてその内部に残留する尿を排出できるようにしてあることを特徴とする自動蓄尿検査装置。
【請求項２】
前記採尿容器の傾き角度は、正立状態から９０°を超え１８０°以下である請求項１に記載の自動蓄尿検査装置。
【請求項３】
前記採尿容器は、その内部に残留する尿が排出された後、その内部が洗浄されるようにしてある請求項１または２に記載の自動蓄尿検査装置。
【発明の詳細な説明】
【０００１】
【発明の属する技術分野】
この発明は、病院などの医療施設に設けられる自動蓄尿検査装置に関する。
【０００２】
【従来の技術】
蓄尿検査は、患者の水分の代謝の観察のためや尿中成分の定量を行ための手法として用いられるが、近時、例えば大きな病院においては、入院患者の蓄尿検査を行うために、複数の病室のそれぞれに簡易便器および測定端末としての自動蓄尿検査装置を設置するとともに、ナースセンターなどの看護婦詰所にデータ管理機を設け、このデータ管理機と各病室に設けられた自動蓄尿検査装置とをＬＡＮを用いるなどしてデータネットワークを構成した蓄尿管理システムが導入されるようになってきている。
【０００３】
ところで、本願出願人は、患者自らが自分の排出した尿を採尿容器に採取し、この尿を収容した採尿容器を尿サンプリング部の容器セット位置にセットすると、この採尿容器のセット動作が自動蓄尿検査装置によって検知され、尿サンプリング機構によって尿がサンプリングされて、当該患者専用の蓄尿のための容器（分注容器）内に分注されるようにした自動蓄尿検査装置を、特願２００１−１１２５０３号を初めとして多数特許出願しているところである。
【０００４】
上記自動蓄尿検査装置においては、採尿容器内の尿が適宜サンプリングされて、尿の量（体積）やその比重が測定され、その測定結果は、自動蓄尿検査装置内のメモリに患者別に記録されるとともに、中央データ管理装置としてのデータ管理機に送られ、このメモリ内に記録されるようになっており、前記自動蓄尿検査装置は、特に入院患者における尿の検査に先立つ尿のサンプリング、尿量の計測および尿の管理などを看護婦などの人手を介することなく自動的に行うことができるなど優れた利点を有する。
【０００５】
【発明が解決しようとする課題】
ところで、上記出願に係る自動蓄尿検査装置においては、尿のサンプリングが行われた後に採尿容器内に残留する尿（残余の尿）を、患者自らが自動蓄尿検査装置の近傍に設けられている簡易トイレや病室外のトイレに廃棄するのが一般的であり、このため、臭いのする採尿容器を持ち運びする必要があり、床などの零したりすることがあり、患者など採尿容器を取り扱う者に余分な負担を強いるとともに、採尿容器の管理や衛生上において解決すべき点があった。
【０００６】
この発明は、上述の事柄に留意してなされたもので、その目的は、患者など採尿容器を取り扱う者に余分な負担を懸けることがなく、採尿容器の管理や衛生上に問題を生ずることのない自動蓄尿検査装置を提供することである。
【０００７】
【課題を解決するための手段】
上記目的を達成するため、この発明では、採尿容器に収容された尿を、尿サンプリング部においてサンプリングするようにした自動蓄尿検査装置において、前記採尿容器がその下部に鍔状のベ−ス部を備える一方、前記尿サンプリング部には前記採尿容器を載置し保持するための容器保持ベ−スが設けられ、かつ、この容器保持ベ−スの上部には前記採尿容器のベース部を挿抜自在に挟持する挟持部が形成され、前記サンプリング後に、前記尿サンプリング部において前記容器保持ベースを傾斜させることにより前記採尿容器を傾けてその内部に残留する尿を排出できるようにしている（請求項１）。
【０００８】
上記自動蓄尿検査装置においては、尿サンプリング部において採尿容器内の尿をサンプリングした後に、当該採尿容器内の残余の尿を、当該尿サンプリング部において排出するようにしているので、尿の入った採尿容器を持ち運びする必要がなく、その取扱を容易に行うことができ、尿が床などに零れるおそれもない。
【０００９】
そして、前記採尿容器の傾き角度は、正立状態から少なくとも９０°を超えておればよいが、前記角度が１８０°、すなわち、採尿容器を倒立状態となるように傾けてもよい（請求項２）。
【００１０】
また、前記採尿容器は、その内部に残留する尿が排出された後、その内部が洗浄されるようにしてあってもよい（請求項３）。この洗浄は、採尿容器を収納する採尿容器収納部において行うようにしてもよく、また、前記洗浄を尿サンプリング部において行ってもよい。
【００１１】
【発明の実施の形態】
以下、この発明の詳細を、図を参照しながら説明する。図１〜図４は、この発明の一つの実施の形態を示す。まず、図１は、この発明の自動蓄尿検査装置の構成の一例を示す図であり、この図において、１は例えば病室内の適宜の場所、例えばユニットバス内や、簡易トイレに隣接した場所などに設けられる自動蓄尿検査装置で、この実施の形態においては、測定を行う装置本体２と採尿容器収納部３とからなる。すなわち、４は適宜の素材よりなるケースで、その内部は仕切り板５，６によって３つの空間４ａ，４ｂ，４ｃに区画されている。そして、上二つの空間４ａ，４ｂには装置本体２（後述する）が設けられ、最下段の空間４ｃには採尿容器収納部３（後述する）が形成されている。
【００１２】
前記装置本体２の構成を説明すると、上方の空間４ａには、前面がパネル７で覆われて防湿構造に形成されている尿測定部８（その構成は後述する）が設けられ、下方の空間４ｂには、前面の一部が外部に開放された尿サンプリング部９（その構成は後述する）が設けられている。
【００１３】
まず、前記尿測定部８および尿サンプリング部９における構成を、図２および図３をも参照しながら説明すると、尿サンプリング部９の底板を兼ねた仕切り板６には、例えば内部が筒状で把手１０ａを備え、下部に鍔状のベース部１０ｂを備えた樹脂製の採尿容器１０をセットし、この採尿容器１０内に収容された尿をサンプリングするための容器セット位置１１が形成されている。そして、この容器セット位置１１には、採尿容器１０の存在の有無を識別する容器検出センサ（図示していない）が設けられるとともに、この容器セット位置１１においては、採尿容器１０は、所定角度θだけ傾けられるように構成されている。また、９ａは尿サンプリング部９に設けられる照明灯である。
【００１４】
すなわち、１２は採尿容器１０を載置しこれを保持する容器保持ベースで、その前面を除く三方（後面、左右側面）は仕切り部材１３ａ〜１３ｃで囲まれ、前面には、例えば左側にヒンジ部１４ａを有する扉１４が設けられている。これらの仕切り部材１３ａ〜１３ｃおよび扉１４は、適宜の高さを有し、特に、左側面の仕切り部材１３ｂの上部には、後述するノズル３３の移動を妨げないための切欠部１３ｂ’が形成されている。また、容器保持ベース１２の上部には、扉１４を開いた状態で挿抜される採尿容器１０のベース部１０ｂを挿抜自在に挟持できるように左右一対の挟持部１５が前面側から背面側に形成されている。この挟持部１５は、例えば容器保持ベース１２の左右両側を上方に直角に折り曲げ、さらに、前記ベース部１０ｂの厚み（高さ）よりやや高い位置で内側に直角方向に所定長さだけ折り曲げて形成されている。
【００１５】
そして、前記容器保持ベース１２の例えば右側には、容器保持ベース１２を水平な状態から背面方向に所定の角度だけ傾斜した状態になるように回転させるベース回動機構１６が設けられている。このベース回動機構１６は、容器保持ベース１２の右側部に立設されたブラケット１７と、このブラケット１７の外側面には固着され、仕切り部材１３ｃを貫通して水平に延びる回転軸１８と、この回転軸１８に設けられたピニオン１９と、ガイド部材２０に沿って上下動するラック２１と、このラック２１を上下方向（ＵまたはＶ方向）に駆動するシリンダ（例えばエアシリンダ）２２を備えている。
【００１６】
したがって、上記容器保持ベース１２は、ベース回動機構１６の動作によって、回転軸１８を中心にして図３において矢印ＢまたはＦの方向のいずれにも回転し、これによって、容器保持ベース１２上にセットされた採尿容器１０は正立状態から９０°を超え１８０°までの適宜の角度αだけ回転し、その開口が水平線より（α−９０）°だけ下方に傾く。なお、図示例では、ブラケット１７には、その容器保持ベース１２の傾き方向の部分１７ａが水平方向に延設され、折り曲げられており、前記部分１７ａが容器保持ベース１２上の採尿容器１０が傾き方向に滑り落ちないように、採尿容器１０の胴部１０に当接するようにしてある。なお、図示は省略しているが、容器保持ベース１２の近傍には、その傾斜状態や水平状態をそれぞれ検知するためのセンサが設けられており、このセンサの出力に基づいて前記ベース回動機構１６の動作が制御されるようにしてある。
【００１７】
また、前記容器保持ベース１２の背面側の仕切り部材１３ａには、洗浄ノズル２３が水平線よりやや上向きの状態で設けられている。この洗浄ノズル２３は、洗浄水供給ライン（図示していない）に接続されている。そして、この洗浄ノズル２３の水平線となす傾き角度βは、例えば、容器保持ベース１２の傾き角度αが１０５°のとき、１５°に設定される。つまり、（α−β）の大きさが９０°になるように設定する。このようにしたとき、洗浄ノズル２３から発せられる洗浄水の中心が傾いた採尿容器１０の開口中心と一致し、採尿容器１０内を最も効率よく洗浄することができる。なお、図２において、１１ａは採尿容器１０から排出される尿（残余の尿）や前記洗浄水を排出する排出部で、図示していない廃液流路に接続されている。また、図３において、１３ｅは容器セット位置１１の前面右側部に設けられる目隠し部材である。
【００１８】
２４は尿サンプリング機構で、例えば次のように構成されている。すなわち、２５は尿サンプリング部９内の上方に設けられる回転アームで、尿測定部８内に設けられた正逆いずれの方向にも回転するモータ２６によって回転駆動され、仕切り板５に開設された小孔５ａを挿通して下方に垂直方向に延びる回転軸２７の下端部に固着されており、両矢印２８で示す方向に回転する。この回転軸２７は、尿測定部８内に設けられた別のモータ（このモータも正逆いずれの方向にも回転する）２９によって上下動する上下動駆動機構３０によって両矢印３１で示す上下方向に移動できるようにも構成されている。したがって、回転アーム２５は、水平方向において回転しかつ上下方向に直線移動する。
【００１９】
３２は尿をサンプリングする流路で、例えばゴムまたは樹脂よりなる可撓性の管よりなり、その下流側には採尿容器１０内の尿の液面を検知する機能をも備えたノズル３３が設けられている。このノズル３３は、尿サンプリング部９内の容器セット位置１１の上方に設けられ、この実施の形態においては、導電率の変化に基づいて液面検知を行うものよりなり、一方の電極としても機能するパイプ状ノズル本体３３ａとこれに平行な状態に設けられ、他方の電極となる棒体３３ｂとからなる。このノズル３３は、回転アーム２５の先端側（遊端側）において保持ブロック３４によって保持され、回転アーム２５の動きに伴って回転および／または上下動する。なお、ノズル３３によって得られる液面検知信号は、小孔５ａを挿通する信号線（図示していない）を介してマイクロコンピュータ（後述する）に送られる。
【００２０】
そして、前記容器セット位置１１の左隣には、仕切り部材１３ｂを挟んで、例えば４つの分注容器３５と洗浄用の薬液を収容した容器３６が並設されている。また、３７はノズル洗浄槽である。詳細には図示してないが、これらの容器３５，３６およびノズル洗浄槽３７は、前記採尿容器１０および仕切り部材１３ｂに形成される切欠部１３ｂ’とともに、回転アーム２５によって回転するノズル３３が描く円弧状の軌跡上に配置されている。
【００２１】
前記サンプリング流路３２のノズル３３より上流側の部分は、回転アーム２５に沿うとともに、小孔５ａを挿通して上方の尿測定部８に導入されている。この尿測定部８におけるサンプリング流路３２には、尿の比重を例えば光学方式によって測定する比重計３８、サンプリングされた尿を一時的に蓄えるバッファタンク３９、シリンジポンプ４０がこの順で設けられている。なお、４１はシリンジポンプ４０の駆動用モータで、正逆いずれの方向にも回転する。また、４２は例えば水道水などの洗浄水をバッファタンク３９に導入するラインである。
【００２２】
そして、前記尿測定部８の内部（例えばパネル７の背面部）には、装置本体２および採尿容器収容室３の各部を制御するとともに、ノズル３３および比重計３８からの信号に基づいて尿量および尿比重の演算などを行う制御演算装置としてのマイクロコンピュータ（図示していない）が設けられており、このマイクロコンピュータには、後述する表示部４６からの入力信号が入力されるとともに、所定の測定や動作を行わせるためのシーケンスプログラムが格納されている。
【００２３】
また、前記尿測定部８の上方の一隅部には、開口４３が形成され、この開口４３の内側に内部にエアーを吸入するためのファン４４が設けられている。そして、尿測定部８の前記上方の隅部側とは対角線上の下方の隅部には、例えば細かい網目状または格子状の通風孔４５が形成されている。
【００２４】
さらに、前記パネル７の表面には、タッチパネル式の例えば液晶表示装置よりなる入力・表示部４６が設けられており、患者名および／またはコード番号を表示したり、患者に対する操作内容に関する指示やマイクロコンピュータによる演算結果などが表示されるようにしてある。また、パネル７には、患者に対する操作指示用の拡声器４７が設けられている。つまり、患者に対して、入力・表示部４６における文字等によるメッセージ表示と拡声器４７における音声メッセージのそれぞれによって操作内容が指令されるようにしてある。
【００２５】
そして、採尿容器収納部３の構成を簡単に説明すると、この採尿容器収容部３は、例えば、４人の患者（例えばＡ，Ｂ，Ｃ，Ｄ）のそれぞれ専用の採尿容器１０を収納する機能および使用後の採尿容器１０をそれぞれ洗浄する機能を備えた４つの容器収納室４８Ａ〜４８Ｄよりなる。各容器収納室４８Ａ〜４８Ｄは、それらの構造は互いに同じであり、その前面に開閉自在な扉４９を備えており、扉４９の開閉状態検知センサ（図示していない）が設けられている。また、各容器収納室４８Ａ〜４８Ｄ内は、図４（ｆ）に概略的に示すように、採尿容器１０を倒立した状態で保持することができるように構成されているとともに、前記倒立状態の採尿容器１０に対してその真下から洗浄液を採尿容器１０内に噴出する洗浄ノズル５０が設けられ、さらに、洗浄に用いた洗浄液を排出流路（図示していない）に排出できるように構成されている。
【００２６】
なお、図１において、５１は尿サンプリング部９に設けられる識別灯、５２Ａ〜５２Ｄは容器収納室４８Ａ〜４８Ｄに対応して設けられる識別灯である。
【００２７】
上記自動蓄尿検査装置１の動作を説明する。この自動蓄尿検査装置１は、４人部屋の病室に１台設けられているものとし、４人の患者Ａ，Ｂ，Ｃ，Ｄのそれぞれ専用の採尿容器１０を、それぞれ専用の容器収納室４８Ａ〜４８Ｄに収容するものとする。この場合、マイクロコンピュータのメモリ部には、４人の患者名および／またはコード番号と容器収納室４８Ａ〜４８Ｄとを１対１で対応するように記憶させてある。
【００２８】
今、患者Ｂが採尿容器収納部３の自分の容器収納室４８Ｂの扉４９を開いて採尿容器１０を取り出し、扉４９を閉める。この扉４９の開閉により、容器収納室４８Ｂの開閉状態検知センサが動作して、その出力がマイクロコンピュータに入力され、非測定モード（待機モード）であった自動蓄尿検査装置１が測定モードになる。
【００２９】
前記マイクロコンピュータにおいては、前記開閉状態検知センサの出力に基づいて患者Ｂの名前が検索され、その名前が入力・表示部４６に表示されるとともに、拡声器４７から、例えば、「Ｂさんですね。尿を採取して戻って来て下さい。」というような確認および指令のメッセージが発せられる。
【００３０】
前記患者Ｂは、自分の名前を確認した後、例えば室内の簡易トイレにおいて用を足し、自分の尿を採尿容器１０に採取する。前記メッセージの指令の後、適宜の時間経過後、尿サンプリング部９の識別灯５１が点灯する。
【００３１】
前記採尿後の患者Ｂは、前記採尿容器１０を持って自動蓄尿検査装置１の前面に来て、識別灯５１が点灯している尿サンプリング部９の扉１４を開いて採尿容器１０を、そのベース部１０ｂを容器保持ベース１２の挟持部１５に挿入するようにして容器セット位置１１にセットする。つまり、尿５３を収容した採尿容器１０は、その開口を真上にした正立状態で容器保持ベース１２の上面に載置される。この場合、前記扉１４を開くことにより照明灯９ａが点灯し、尿サンプリング部９が適宜照明されるとともに、前記採尿容器１０のセットにより容器検出センサが動作し、その出力がマイクロコンピュータに入力され、採尿容器１０が正しくセットされたことが通知され、拡声器４７から、例えば、「容器が正しくセットされました。そのまま暫くお待ち下さい。」というような確認および指令のメッセージが発せられる。
【００３２】
前記採尿容器１０のセットにより、モータ２６，２９，４１が所定のシーケンスに基づいて動作し、尿サンプリング機構２４によって採尿容器１０内の尿のサンプリングが行われ、測定および分注が行われる。これらの動作について、図４をも参照しながら説明する。
【００３３】
今、ノズル３３が所定のホームポジションに位置しているものとする。このホームポジションは、患者による採尿容器１０のサンプリング部位１１へのセットやこのサンプリング部位１１からの採尿容器１０の取り出しの邪魔にならないような位置であることはいうまでもない。
【００３４】
モータ２６を動作させて回転アーム２５を回転させ、ホームポジションにあるノズル３３を円弧２８を描くように回転させ、容器セット部１１に載置されている採尿容器１０の上方に位置させる（図４（ａ）参照）。
【００３５】
次いで、モータ２９を動作させて回転アーム２５を下降させ、ノズル３３を下降させ、これを採尿容器１０内の尿５３内に浸漬する（図４（ｂ）参照）。このノズル３３の下降時、ノズル３３の先端（下端）が前記尿５３内に進入する際、ノズル３３によって尿５３の液面の高さ位置が検出され、これに基づいて採尿容器１０内の尿５３の全量（全体積）が測定される。
【００３６】
そして、モータ４１を動作させてポンプ４０に吸引を行わせ、ノズル３３に採尿容器１０内の尿５３を所定量吸引させ、尿５３のサンプリングを行う。この尿５３の吸引量は、前記測定された尿５３の全量の例えば１／１０とする。この吸引された尿５３は、サンプリング流路３２を上流側方向に進み、比重計３８を通過する際、その比重が測定され、この比重計３８を経た尿５３は、バッファタンク３９内に一時的に収容される。
【００３７】
その後、モータ２９を回転させて、回転アーム２５を上昇させ、ノズル３３の下端部が採尿容器１０の上端より高くなるように、ノズル３３を上昇させた後、ポンプ４０を動作させ、ノズル３３に空気を１ｍＬ程度吸引させてノズル３３の下端部からの尿５３の滴下を防止し、その状態でモータ２６を動作させて回転アーム２５を回転させることによりノズル３３を回転させ、患者Ｂ用の分注容器３５の上方位置までノズル３３を移動させる。そして、モータ２９を動作させて回転アーム２５を下降させることによりノズル３３を前記分注容器３５に対して所定の高さ位置まで下げた後、ポンプ４０を動作させ、バッファタンク３９内の尿５３の全てをノズル３３によって前記分注容器３５内に注入する（図４（ｃ）参照）。
【００３８】
前記分注容器３５内への注入が終わると、モータ２６，２９を動作させて、回転アーム２５を上昇させるとともに回転させることにより、ノズル３３をホームポジションに戻す。これにより、尿５３のサンプリング並びに尿５３の総量および比重の測定が完了する。この尿の総量および比重の測定結果は、入力・表示部４６に表示されるとともに、マイクロコンピュータのメモリ内に格納されたり、ＬＡＮなどのネットワークを介して、看護婦詰所などに設けられるデータ管理機（図示していない）に送信され、そのメモリ内に格納される。
【００３９】
ところで、前記尿５３をその採取された量の１／１０だけサンプリングした後、容器保持ベース１２上に正立状態で載置されている採尿容器１０内には、採取された全量の９／１０の尿５３が残っている。そこで、ベース回動機構１６のシリンダ２２が動作して容器保持ベース１２が水平状態から図３において矢印Ｂ方向に回転し、元の水平状態から９０°より大きな角度α°だけ傾く。これに伴って、採尿容器１０も同方向に回転し、その開口が水平線より低くなる傾いた状態となり、前記残余の尿５３の全てが排出される（図４（ｄ）参照）。
【００４０】
前記尿５３の排出が終わると、前記シリンダ２２が動作して、傾いている容器保持ベース１２が図３において矢印Ｆ方向に回転し、元の水平状態に復帰する。これに伴って、採尿容器１０も同方向に回転し、元の正立状態に復帰する（図４（ｅ）参照）。このとき、点灯していた尿サンプリング部９の識別灯５１が消灯するとともに、採尿容器収容部３における患者Ｂの容器収納室４８Ｂの識別灯５１が点灯し、拡声器４７から、例えば、「容器を取り出して容器収納室に戻して下さい。」というようなメッセージが発せられる。
【００４１】
待機していた患者Ｂは、尿サンプリング部９の扉１４を開いて採尿容器１０を取り出し、採尿容器収容部３の識別灯５１が点灯している容器収納室４８Ｂの扉４９を開いて、図４（ｆ）に示すように、容器収納室４８Ｂ内に採尿容器１０を倒立状態で挿入し、扉４９を閉める。このとき、拡声器４７から、例えば、「容器が正しく戻されました。」というようなメッセージが発せられる。
【００４２】
前記容器収納室４８Ｂの扉４９が閉められたことにより、洗浄ノズル５０から水道水などの洗浄液５４が倒立状態の採尿容器１０内部に噴射され、採尿容器１０内部が洗浄される。この洗浄が完了すると、自動蓄尿検査装置１は元の待機状態に戻る。なお、洗浄された採尿容器１０は、その状態で自然乾燥され、その状態で次に使用まで保管される。
【００４３】
上述の実施の形態においては、尿サンプリング部９において、採尿容器１０内の尿５３をサンプリングした後に、当該採尿容器１０内の残余の尿５３を、当該尿サンプリング部９において排出するようにしているので、尿５３の入った採尿容器１０を持ち運びする必要がなく、その取扱を容易に行うことができ、尿５３が床などに零れるおそれもない。
【００４４】
そして、尿５３を排出した後の採尿容器１０は、採尿容器収容部３の容器収納室４８Ｂに収容されるが、この容器収納室４８Ｂにおいて洗浄水５４によって洗浄され、次の使用に供することができる。
【００４５】
上述の実施の形態においては、自動蓄尿検査装置１が測定を行う装置本体２と採尿容器収納部３とからなるものであり、尿サンプリング部９の容器セット位置１１において、採尿容器１０を所定角度傾斜してその内部に残った尿５３を廃棄し、採尿容器１０内部の洗浄については、採尿容器収容部３の容器収納室４８Ｂにおいて行うようにしていたが、これに代えて、容器セット位置１１において採尿容器１０内部の洗浄をも行うようにしてもよい。以下、これを、図５を参照しながら説明する。この場合、採尿容器収容部３の容器収納室４８Ａ〜４８Ｄには洗浄ノズル５０を必ずしも設ける必要がなく、また、仮に設けてあっても、洗浄ノズル５０による洗浄動作が行われないようにしてあればよい。
【００４６】
図５（ａ）〜（ｄ）に図示している内容は、前記図４（ａ）〜（ｄ）に図示している内容と同じで、その詳細な説明は、前記段落００３３〜００３９に記載した内容と同じであるので、その説明は省略する。
【００４７】
この実施の形態においては、採尿容器１０を所定角度だけ傾斜させてその内部の残余の尿５３を廃棄した後、採尿容器１０を前記傾斜状態に保持した状態で、洗浄ノズル２３から水道水など洗浄水５５を噴射し、採尿容器１０内部を洗浄する（図５（ｅ）参照）。
【００４８】
前記採尿容器１０の洗浄が終わると、前記シリンダ２２が動作して、傾いている容器保持ベース１２が図３において矢印Ｆ方向に回転し、元の水平状態に復帰する。これに伴って、採尿容器１０も同方向に回転し、元の正立状態に復帰する（図５（ｆ）参照）。ここで、前記採尿容器１０をさらに薬液で洗浄しない場合には、点灯していた尿サンプリング部９の識別灯５１が消灯するとともに、採尿容器収容部３における患者Ｂの容器収納室４８Ｂの識別灯５１が点灯し、拡声器４７から、例えば、「容器を取り出して容器収納室に戻して下さい。」というようなメッセージが発せられ、待機していた患者Ｂは、尿サンプリング部９の扉１４を開いて採尿容器１０を取り出し、採尿容器収容部３の識別灯５１が点灯している容器収納室４８Ｂの扉４９を開いて容器収納室４８Ｂ内に採尿容器１０を倒立状態で挿入することで、採尿容器１０は次の使用に待機した状態で保管される。
【００４９】
これに対して、前記水道水で洗浄された採尿容器１０をさらに薬液で洗浄する場合には、前記正立状態に復帰した採尿容器１０の上にノズル３３が移動し、容器３６内の薬液５６がノズル３３から注入される（図５（ｇ）参照）。
【００５０】
その後、ベース回動機構１６のシリンダ２２が動作して容器保持ベース１２が水平状態から図３において矢印Ｂ方向に回転し、元の水平状態から９０°より大きな角度α°だけ傾き、これに伴って、採尿容器１０も同方向に回転し、その開口が水平線より低くなる傾いた状態となり、前記薬液５６の全てが排出される（図５（ｈ）参照）。
【００５１】
前記薬液５６を排出し、開口が水平線より低くなる傾いた状態となっている採尿容器１０に対して、洗浄ノズル２３から水道水など洗浄水５５を噴射し、採尿容器１０内部を洗浄する（図５（ｉ）参照）。
【００５２】
前記採尿容器１０の洗浄が終わると、前記シリンダ２２が動作して、傾いている容器保持ベース１２が図３において矢印Ｆ方向に回転し、元の水平状態に復帰する。これに伴って、採尿容器１０も同方向に回転し、元の正立状態に復帰する（図５（ｊ）参照）。このとき点灯していた尿サンプリング部９の識別灯５１が消灯するとともに、採尿容器収容部３における患者Ｂの容器収納室４８Ｂの識別灯５１が点灯し、拡声器４７から、例えば、「容器を取り出して容器収納室に戻して下さい。」というようなメッセージが発せられ、待機していた患者Ｂは、尿サンプリング部９の扉１４を開いて採尿容器１０を取り出し、採尿容器収容部３の識別灯５１が点灯している容器収納室４８Ｂの扉４９を開いて容器収納室４８Ｂ内に採尿容器１０を倒立状態で挿入することで、採尿容器１０は次の使用に待機した状態で保管される。
【００５３】
上述のように、容器セット位置１１において採尿容器１０内部の洗浄をも行うようにした場合、採尿容器収容部３として、各容器収納室４８Ａ〜４８Ｄに洗浄ノズル５０を設ける必要がない。また、場合によっては、採尿容器収容部３そのものを設ける必要がなくなる。
【００５４】
さらに、図５（ｇ）〜（ｊ）に示すように、水道水で洗浄した後、さらに薬液５６で洗浄し、その後、水道水で洗浄するように構成した場合には、使用後の採尿容器１０を確実に洗浄することができるといった利点がある。
【００５５】
なお、患者の尿５３を成分検査しないときなどにおいては、サンプリングした尿５３は分注容器３５に分注する必要がなく、この場合、バッファタンク３９内の尿５３は採尿容器１０に戻される。
【００５６】
上述の実施の形態においては、ノズル３３を回転方向の動作と上下方向の動作によって、尿５３をサンプリングするようにしているが、ノズル３３を直交する三次元方向（Ｘ，Ｙ，Ｚ）方向に移動させることにより、尿５３をサンプリングするようにしてもよい。また、サンプリング流路３２には、必ずしも比重計３８を設ける必要がなく、これを省略してもよい。さらに、逆に、サンプリング流路３２の例えば比重計３８の後段に尿糖計を設けてもよい。
【００５７】
また、尿５３の液面を検出する機構としては、静電容量に基づくものを用いてもよく、その場合、ノズル３３は筒状の本体３３ａのみでよい。
【００５８】
さらに、自動蓄尿検査装置１としては、病室に設けられるものに限られるものではなく、集合トイレに設けられるものでもよい。
【００５９】
【発明の効果】
以上説明したように、この発明の自動蓄尿検査装置は、採尿容器がその下部に鍔状のベ−ス部を備える一方、尿サンプリング部には前記採尿容器を載置し保持するための容器保持ベ−スが設けられ、かつ、この容器保持ベ−スの上部には前記鍔状のベース部を挿抜自在に挟持する挟持部が形成され、前記サンプリング後に、前記尿サンプリング部において前記容器保持ベースを傾斜させることにより前記採尿容器を傾けてその内部に残留する尿を排出できるようにしてあるので、採尿容器内の尿のサンプリングから前記採尿容器に残留する尿の排出までの処理を一つの位置、つまり、尿サンプリング部において行うことができるとともに、一つの装置内で行うことができる。したがって、尿の入った採尿容器を持ち運びする必要がなく、その取扱を容易に行うことができ、尿が床などに零れるおそれもなく、衛生上の問題も全く生ずることがない。
【図面の簡単な説明】
【図１】  この発明の自動蓄尿検査装置の一例を部分的に透視して示す斜視図である。
【図２】  前記自動蓄尿検査装置における尿サンプリング部の要部の構成の一例を示す側面図である。
【図３】  前記尿サンプリング部の要部を部分的に透視して示す斜視図である。
【図４】  前記自動蓄尿検査装置の動作の一例を説明するための図である。
【図５】  前記自動蓄尿検査装置の動作の他の例を説明するための図である。
【符号の説明】
１…自動蓄尿検査装置、９…尿サンプリング部、１０…採尿容器、１０ｂ…鍔状のベース部、１２…容器保持ベース、１５…挟持部、５３…尿。
【図１】
0003752176.tif 000002
【図２】
0003752176.tif 000003
【図３】
0003752176.tif 000004
【図４】
0003752176.tif 000005
【図５】
0003752176.tif 000006